(57)【要約】      （修正有）【課題】構造がシンプルで、取り扱いが容易であるボール持ち上げ具および旗竿装置を提供する。【解決手段】旗竿３のポール５の外径より大きな内径を有し、ポールにその長手方向に沿って摺動可能に外嵌される中空円筒部１２を備え、中空円筒部は、その下端から径方向外側に突出する、ホールカップ内でボールを載置可能な係止部１４を設けていることを特徴とし、また、中空円筒部の外周に把持部を設けていることを特徴とし、また、係止部は、円板状で、外周縁部が上方に向かって傾斜している。【選択図】図１
0003222779.tif 000002
【実用新案登録請求の範囲】
【請求項１】
ゴルフの旗竿に取り付けて使用するものであって、
前記旗竿のポールの外径より大きな内径を有し、前記ポールにその長手方向に沿って摺動可能に外嵌される中空円筒部を備え、
前記中空円筒部は、その下端から径方向外側に突出する、ホールカップ内でボールを載置可能な係止部を設けていることを特徴とするボール持ち上げ具。
【請求項２】
前記中空円筒部の外周に把持部を設けていることを特徴とする請求項１に記載のボール持ち上げ具。
【請求項３】
前記係止部は、円板状で、外周縁部が上方に向かって傾斜していることを特徴とする請求項１または２に記載のボール持ち上げ具。
【請求項４】
請求項１〜３のいずれか一項に記載のボール持ち上げ具と、
前記ボール持ち上げ具の前記係止部と当接して、前記ボール持ち上げ具の摺動を制止する当接部を前記ポールの下方に設けた前記旗竿と
を備えていることを特徴とする旗竿装置。
【請求項５】
前記当接部は、径方向外側に突出する円板状であることを特徴とする請求項４に記載の旗竿装置。
【考案の詳細な説明】
【技術分野】
【０００１】
本考案は、ゴルフ場、ゴルフ練習場等のパッティンググリーン上に設置されるボール持ち上げ具および旗竿装置に関する。
【背景技術】
【０００２】
従来より、ゴルフ場、ゴルフ練習場等のパッティンググリーン上でホールカップに入ったボールを取り出す際には、プレーヤーが腰をかがめるか、しゃがみ込んで、ホールカップ内に手を入れてボールを取り出していた。また、その際、ホールカップに旗竿を立てたままにしていると、ホールカップの直径は１０８ｍｍと小さいため、ボールの取り出しに手間取ったり、ホールカップの縁を痛めてしまうおそれがあった。このような課題を解決する装置として、例えば、特許文献１のボール受皿浮上装置が提案されている。
【０００３】
特許文献１のボール受皿浮上装置は、ゴルフ場（練習用を含む）のグリーンのカップ内にボール受皿と補助カバーを設け、一方旗竿には底部にマグネットを着けたボビンを旗竿に通し旗竿内で滑車を介して紐で連結してある旗竿の大体肩当りの高さのボビンを下げることによりボール受皿が浮上し、その中間点で両者が接した時ボビンとボール受皿はマグネットでくっつき静止状態を保つことを特徴とするものである。
【先行技術文献】
【特許文献】
【０００４】
【特許文献１】特開昭５５−５８１７８号
【考案の概要】
【考案が解決しようとする課題】
【０００５】
しかしながら、従来のボール受皿浮上装置は、既存の旗竿を使用することができず、また、構造も複雑であるため、故障しやすいという課題がある。
【０００６】
本考案は、このような事情に鑑みてなされたもので、構造がシンプルで、取り扱いが容易であるボール持ち上げ具および旗竿装置を提供することができる。
【課題を解決するための手段】
【０００７】
請求項１記載のボール持ち上げ具は、旗竿のポールの外径より大きな内径を有し、ポールにその長手方向に沿って摺動可能に外嵌される中空円筒部を備え、中空円筒部は、その下端から径方向外側に突出する、ホールカップ内でボールを載置可能な係止部を設けていることを特徴とする。
【０００８】
請求項２記載のボール持ち上げ具は、中空円筒部の外周に把持部を設けていることを特徴とする。
【０００９】
請求項３記載のボール持ち上げ具は、係止部が、円板状で、外周縁部が上方に向かって傾斜していることを特徴とする。
【００１０】
請求項４記載の旗竿装置は、請求項１〜３のいずれか一項に記載のボール持ち上げ具と、ボール持ち上げ具の係止部と当接して、ボール持ち上げ具の摺動を制止する当接部をポールの下方に設けた旗竿とを備えていることを特徴とする。
【００１１】
請求項５記載の旗竿装置は、当接部が、径方向外側に突出する円板状であることを特徴とする。
【考案の効果】
【００１２】
本考案によれば、構造がシンプルで、取り扱いが容易であるボール持ち上げ具および旗竿装置を提供することができる。
【図面の簡単な説明】
【００１３】
【図１】本考案に係るボール持ち上げ具および旗竿装置の第１の実施例を示す説明図である。
【図２】本考案に係るボール持ち上げ具および旗竿装置の第２の実施例を示す説明図である。
【考案を実施するための形態】
【００１４】
以下、本考案の形態について図面を参照しながら具体的に説明する。図１は、本考案に係るボール持ち上げ具および旗竿装置の第１の実施例を示す端面図である。図２は、本考案に係るボール持ち上げ具および旗竿装置の第２の実施例を示す端面図である。
【００１５】
本考案に係るボール持ち上げ具１は、ゴルフの旗竿３に取り付けて使用するものである。ボール持ち上げ具１は、図１（ａ）、（ｂ）に示すように、旗竿３のポール５の外径より大きな内径を有し、ポール５の長手方向に沿って摺動可能であるようにポール５に外嵌される中空円筒部１２を備えている。中空円筒部１２は、中空円筒部１２の下端から径方向外側に突出する、ホールカップＨ内でボールＢを載置可能な係止部１４を設けている。係止部１４は、ボールＢを載置できればその形状は任意であるが、中空円筒部１２の下端から略水平または上方もしくは下方に傾斜しながら放射状に延在する棒状、突起状、板状、網状等が考えられる。
【００１６】
本考案に係るボール持ち上げ具１を旗竿３に取り付けて使用すると、ホールカップＨからボールＢを取り出す際、ボール持ち上げ具１の中空円筒部１２を旗竿３のポール５の長手方向に沿って上方に摺動させるだけで、ボールＢをホールカップＨ内から楽に取り出すことができる。本考案に係るボール持ち上げ具１は、構造がシンプルであるため、取り扱いが容易である。
【００１７】
第２の実施例である図２（ａ）、（ｂ）のボール持ち上げ具２に示すように、中空円筒部２２の外周に把持部２６を設けてもよい。なお、把持部２６の中空円筒部２２の外周上の位置は任意であり、上端であっても、上端と下端の間であってもよい。これにより、ホールカップＨからボールＢを取り出す際に、中空円筒部２２を持ち上げやすくなる。
【００１８】
また、ボール持ち上げ具２の係止部２４は、円板状で、外周縁部が上方に向かって傾斜していてもよい。これにより、地面よりも高い位置までボールＢを持ち上げることが可能になり、プレーヤーはより楽にボールＢを取り出すことができる。
【００１９】
図２（ａ）、（ｂ）に示すように、ボール持ち上げ具２と、ポール６の下方に当接部３２を設けた旗竿４とを組み合わせて旗竿装置８としてもよい。なお、ボール持ち上げ具２の代わりにボール持ち上げ具１を、または、旗竿４の代わりに既存の旗竿３を用いてもよい。旗竿４は、ボール持ち上げ具２の係止部２４と当接して、ボール持ち上げ具２の摺動を制止する当接部３２をポール６の下方に設けている。
【００２０】
当接部３２の形状は、ボール持ち上げ具２の下方への摺動を制止することができれば任意であり、棒状、突起状、板状、網状、環状、円筒状、円錐状等が考えられるが、図２（ａ）、（ｂ）に示すように、ポール６の下方から径方向外側に突出する円板状であってもよい。
以下、実施例を示して本願のボール持ち上げ具および旗竿装置について説明する。
【実施例１】
【００２１】
第１の実施例では、図１（ａ）、（ｂ）に示すように、ボール持ち上げ具１を既存の旗竿３に取り付けたものが旗竿装置７である。
ボール持ち上げ具１は、旗竿３のポール５の外径より大きな内径を有している中空円筒部１２を備えており、中空円筒部１２の内周面が、旗竿３のポール５の外周面に、ポール５の長手方向に沿って摺動可能に嵌め合わされている。ボール持ち上げ具１の係止部１４は、中空円筒部１２の下端から径方向外側に略水平で下方に僅かに傾斜しながら突出した円板状で、中心にポール５が貫通可能な穴が形成されている。係止部１４の直径はホールカップＨの直径より小さい。
【００２２】
次に、実施例１に係るボール持ち上げ具１および旗竿装置７の使用方法を説明する。上述したボール持ち上げ具１を既存の旗竿３に外嵌した旗竿装置７をパッティンググリーン上のホールカップＨに立てておく。この時、ボール持ち上げ具１の係止部１４は、ホールカップＨの底部に位置する。プレーヤーがプレーを行ってホールカップＨ内に入ったボールＢは、図１（ａ）に示すように、係止部１４上に載置されている。
【００２３】
プレーヤーはボールＢを取り出す際、ボール持ち上げ具１の中空円筒部１２を旗竿３のポール５の長手方向に沿って持ち上げると、中空円筒部１２の下端に連結している係止部１４もホールカップＨ内を摺動して一緒に持ち上がる。これにより、図１（ａ）のようにホールカップＨ内の底部でボール持ち上げ具１の係止部１４に載置されていたボールＢは、図１（ｂ）に示すようにパッティンググリーン上に転がり出ることができる。ボールＢを取り出した後、中空円筒部１２から手を離してボール持ち上げ具１を下方に摺動させホールカップＨ内に戻す。
【００２４】
これにより、プレーヤーは、地面より下に位置するホールカップＨ内に手を入れる必要がなくなり、身体への負担が軽減されると共に、短時間でホールカップＨの縁を痛めることなく容易にボールＢを取り出すことができる。
【実施例２】
【００２５】
第２の実施例では、図２（ａ）、（ｂ）に示すように、ボール持ち上げ具２をポール６の下方に当接部３２を設けた旗竿４に取り付けたものが旗竿装置８である。
ボール持ち上げ具２は、旗竿４のポール６の外径より大きな内径を有している中空円筒部２２を備えており、中空円筒部２２の内周面が、旗竿４のポール６の外周面に、ポール６の長手方向に沿って摺動可能に嵌め合わされている。
【００２６】
また、ボール持ち上げ具２の係止部２４は、ホールカップＨ内でボールＢを載置可能であるように中空円筒部２２の下端から径方向外側に略水平に突出した円板状で、中心にポール６が貫通可能な穴が形成されている。係止部２４の直径はホールカップＨの直径より小さく、係止部２４の外周縁部は上方に向かって傾斜している。また、ボール持ち上げ具２は、中空円筒部２２の外周上方に把持部２６を備えている。
【００２７】
一方、旗竿４の当接部３２は、ポール６の下方から径方向外側に略水平に突出した円板状であり、ボール持ち上げ具２の係止部２４とほぼ同様の大きさであるが、円板の外周縁部が下方に向かって傾斜している。
【００２８】
次に、実施例２に係るボール持ち上げ具２および旗竿装置８の使用方法を説明する。上述したボール持ち上げ具２をポール６の下方に当接部３２を下方に設けた旗竿４に外嵌した旗竿装置８をパッティンググリーン上のホールカップＨに立てておく。この時、ボール持ち上げ具２の係止部２４は、ホールカップＨの底部に位置し、当接部３２に当接している。プレーヤーがプレーを行ってホールカップＨ内に入ったボールＢは、図２（ａ）に示すように、係止部２４上に載置されている。
【００２９】
プレーヤーはボールＢを取り出す際、ボール持ち上げ具２の把持部２６を持って中空円筒部２２を旗竿４のポール６の長手方向に沿って上方に摺動させると、中空円筒部２２の下端に連結している係止部２４もホールカップＨ内を摺動して一緒に持ち上がる。係止部２４は外周縁部が上方に向かって傾斜しているため、図２（ａ）に示すようにホールカップＨ内の底部で係止部２４に載置されていたボールＢを、図２（ｂ）に示すように地面よりも高い位置まで持ち上げることができる。ボールＢを取り出した後、把持部２６から手を離してボール持ち上げ具２を下方に摺動させてホールカップＨ内に戻すと、係止部２４は旗竿４の当接部３２に当接して制止する。
【００３０】
これにより、プレーヤーは、ボール持ち上げ具２を上方に摺動させて、取りやすい位置でボールＢを取り出すことができるため、腰をかがめたり、しゃがみ込む必要がなくなり、身体への負担が軽減される。また、旗竿４の当接部３２は、ボールＢが落下した時に係止部２４が受ける衝撃を緩和することもできる。
【００３１】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３２】
本考案により、構造がシンプルで、取り扱いが容易であるボール持ち上げ具および旗竿装置を提供することができる。
【符号の説明】
【００３３】
１、２・・・・・ボール持ち上げ具
３、４・・・・旗竿
５、６・・・・ポール
７、８・・・・旗竿装置
１２、２２・・・・中空円筒部
１４、２４・・・・係止部
２６・・・・把持部
３２・・・・当接部
【図１】
0003222779.tif 000003
【図２】
0003222779.tif 000004